(57)【特許請求の範囲】
【請求項１】
レンズ鏡筒の固定筒の外周に装着されることで、環状の一部に切り割り部を設け切り割り部の間隙を調節することによって対象に固定される三脚座を、レンズ鏡筒に装着可能にする三脚座アダプターであって、
前記三脚座アダプターは、
弾性を有するＣ型形状又はＯ型形状に形成され、前記固定筒の外周に装着されていない状態での径が前記固定筒の径よりも小さく、前記固定筒の外周に装着された状態での径が前記三脚座の取り付け可能な取り付け外径となるアダプター本体部と、
前記アダプター本体部の内周に形成され前記固定筒に形成された径方向に凹状の係合部に係合する径方向に凸状のアダプター側係合部と、
前記アダプター本体部の外周に形成され前記三脚座に形成された係合導入部に係合する三脚座用係合部とを有することを特徴とする三脚座アダプター。
【請求項２】
レンズ鏡筒の固定筒の外周に装着されることで、環状の一部に切り割り部を設け切り割り部の間隙を調節することによって対象に固定される三脚座を、レンズ鏡筒に装着可能にする三脚座アダプターであって、
前記三脚座アダプターは、
弾性を有するＣ型形状又はＯ型形状に形成され、前記固定筒の外周に装着されていない状態での径が前記固定筒の径よりも小さく、前記固定筒の外周に装着された状態での径が前記三脚座の取り付け可能な取り付け外径となるアダプター本体部と、
前記アダプター本体部の内周に形成され前記固定筒に形成された径方向に凸状の係合部に係合する径方向に凹状のアダプター側係合部と、
前記アダプター本体部の外周に形成され前記三脚座に形成された係合導入部に係合する三脚座用係合部とを有することを特徴とする三脚座アダプター。
【請求項３】
前記アダプター本体部は弾性部材により形成されていることを特徴とする請求項１または２に記載の三脚座アダプター。
【請求項４】
前記アダプター本体部は形状記憶合金により形成されていることを特徴とする請求項１または２に記載の三脚座アダプター。
【発明の詳細な説明】
【０００１】
【発明の属する技術分野】
本発明は、三脚座の使用頻度が少ない撮影レンズに対し、取り付け径の合わない汎用、既存の三脚座を使用可能とするための三脚座アダプターおよびそれを用いたレンズ鏡筒に関するものである。
【０００２】
【従来の技術】
撮影機材を三脚に固定しようとした場合、カメラ側の三脚ねじを利用して固定する手段と、レンズ鏡筒が三脚座を有している場合にはレンズ側の三脚座により固定する手段が考えられる。
このうち、カメラ側の三脚ねじを利用して三脚に固定した場合には、撮影者ができるだけ構図を変えないで横位置、縦位置の撮影を行おうとした場合には特殊な雲台を用いない限り光軸がずれてしまうため、再び位置を修正する必要がある。  しかし、レンズ鏡筒側の三脚座を利用して固定する場合にはレボルビング動作により光軸を動かさずに横位置、縦位置の動作を素早く行うことができる。従って、レンズ鏡筒側に三脚座を有していることが望ましい。
【０００３】
図９は従来の三脚座取り付け可能なレンズ鏡筒であって、レンズ鏡筒１１の後端側の取付け径部１１ａに三脚座を係合するための三脚座コロ１１ｂを有し、図１０に示すようにこのレンズ鏡筒１１の取付け径部１１ａに三脚座１２を取り付け、任意の角度位置で締付けねじ１２ａを締め付けることにより、レンズ鏡筒１１を三脚座１２に固定保持するようにしている。
そして、このような従来例のレンズ鏡筒では、レンズ鏡筒１１に三脚座１２を取り付けられるようにする場合、既存の三脚座の取付け径に合わせてレンズ鏡筒本体の取付け径を設定するか、あるいはレンズ鏡筒の取付け径部に合わせて新規に三脚座を製作するしかなかった。
【０００４】
【発明が解決しようとする課題】
ところが、そのレンズ鏡筒の大きさに合った取付け径の三脚座を新規に製作しようとすると、新たな型等を製作しなければならず、コストアップの要因となる。さらに、三脚座の使用頻度が少ない交換レンズの場合には、結果的に三脚座の生産台数も少なく見積もることとなるため、１台当りに対する型等の償却比の負担が大きくなり、単価も高価となる可能性が高い。
また、既存の三脚座に対しレンズ鏡筒側の取付け径を合わせる方法では、例えばレンズ鏡筒が比較的小型のものであり、それに対し既存の三脚座の方が比較的取付け径の大きいものであった場合には、レンズ鏡筒は三脚座の取り付けのためのみにその鏡筒を大型化しなければならないことになり、三脚座自体の使用頻度が低く、あるいは必要のない撮影者にとっては至極不条理な事態となる。
【０００５】
本発明は、前述従来例の問題点に鑑み、取付け径の大きい既存の三脚座を比較的小径のレンズ鏡筒に取り付けようとするときに、レンズ鏡筒自体の大型化を招くことのない三脚座アダプター及びその装着に適するレンズ鏡筒を提供することを目的とする。
【０００６】
【課題を解決するための手段】
前述の目的を達成するために、本発明は、レンズ鏡筒の固定筒の外周に装着されることで、環状の一部に切り割り部を設け切り割り部の間隙を調節することによって対象に固定される三脚座を、レンズ鏡筒に装着可能にする三脚座アダプターであって、前記三脚座アダプターは、弾性を有するＣ型形状又はＯ型形状に形成され、前記固定筒の外周に装着されていない状態での径が前記固定筒の径よりも小さく、前記固定筒の外周に装着された状態での径が前記三脚座の取り付け可能な取り付け外径となるアダプター本体部と、前記アダプター本体部の内周に形成され前記固定筒に形成された径方向に凹状の係合部に係合する径方向に凸状のアダプター側係合部と、前記アダプター本体部の外周に形成され前記三脚座に形成された係合導入部に係合する三脚座用係合部とを有することを特徴とする。
【０００７】
【発明の実施の態様】
本発明は、レンズ鏡筒の固定筒と、該固定筒に装着される環状の三脚座との間に装着される三脚座アダプターであって、前記三脚座アダプターは、前記固定筒の外周に装着され前記三脚座が取り付け可能な取り付け外径を形成するアダプター本体部と、該アダプター本体部の内周に形成され前記固定筒に形成された係合部に係合するアダプター側係合部と、該アダプター本体部の外周に形成され前記三脚座に形成された係合導入部に係合する三脚座用係合部とを有することにより、レンズ鏡筒の取り付け径に関係なく、三脚座の取り付けができる。また本発明はアダプター本体部は弾性部材によりＣ型形状に形成されていることにより、Ｃ型形状部分を拡張してレンズ鏡筒側係合部に係合できるので、取り付けが簡便に行える。
【０００８】
本発明はアダプター本体部が形状記憶合金によりＣ型形状に形成されていることにより、レンズ鏡筒側係合部に係合することにより変形した際に復元することが可能になる。また本発明はアダプター本体部がゴムなどの弾性部材によりＯ型形状に形成されていることにより、レンズ鏡筒側係合部に係合させる際に全体を拡張させて容易に取り付けることが可能となる。
【０００９】
本発明は、固定筒に形成された係合部と、前記固定筒の外周に装着され三脚座が取り付け可能な取り付け外径を形成するアダプター本体部と、該アダプター本体部の内周に形成され前記固定筒に形成された前記係合部に係合するアダプター側係合部と、該アダプター本体部の外周に形成され前記三脚座に形成された係合導入部に係合する三脚座用係合部とを有する三脚座アダプターとを有することにより、レンズ鏡筒に三脚座の取り付けを取り付け径に関係なくできる。
【００１０】
【実施例】
以下、本発明の一実施例を図１ないし図８に基づいて説明する。図１は本実施例のためのレンズ鏡筒の側面図、図２はその固定筒の展開図、図３は三脚座アダプターの平面図、図４はその斜視図、図５はレンズ鏡筒の固定筒に三脚座アダプター係合時の要部断面図、図６は三脚座アダプターを装着したレンズ鏡筒の側面図、図７は三脚座の正面図、図８は三脚座を取り付けたレンズ鏡筒の側面図である。図１及び図２において、１はレンズ鏡筒の固定筒で、その後端側に小径部１ａを有し、該小径部１ａには凹形状をなす固定筒係合部１ｂが間隔を置いて全周に３個形成されている。また、図３及び図４において、２は三脚座アダプターを構成するアダプター本体部で、ＰＯＭ等の樹脂材料でＣ型形状に形成されている。アダプター本体部の内周部は鏡筒装着のための取り付け径部２ａとなるとともに、該レンズ鏡筒の固定筒１に形成した固定筒係合部１ｂに係合するための凸形状をなすアダプター係合部２ｂが形成されている。またアダプター本体部２の外周部には後記する三脚座３と係合するための三脚座用係合部である三脚座コロ２ｃが一体的に形成され、さらに内周部には周方向に形成した溝にレンズ鏡筒取り付け時のクッションとなるテレンプ２ｄが取り付けてある。ここで、アダプター本体部２の外周径は図５、図６、図８に示すように、アダプター本体部２をレンズ鏡筒の固定筒１の小径部１ａに装着した状態で、後述する三脚座３の三脚座アダプター取り付け径部３ｃに対応する取り付け径を形成する構成となっている。
【００１１】
図７において、３は環状の三脚座で、その環状の内周部には前記三脚座アダプター２の三脚座コロ２ｃと係合する係合導入部３ｂを有する三脚座アダプター取付け径部３ｃを形成し、その一部に設けた切り割り部３ｄには締付けねじ３ａが取り付けてある。この締付けねじ３ａを締めることで、切り割り部３ｄの間隙を小さく、すなわち三脚座３の径を小さくでき、三脚座３をその環状の内周部にある対象に固定させることができる。
【００１２】
以上の構成のレンズ鏡筒に三脚座を装着するには、まず、図５に示すように三脚座アダプターのアダプター本体部２をレンズ鏡筒の固定筒１の小径部１ａに装着する際に、アダプター係合部２ｂを固定筒係合部１ｂに係合することにより、アダプター本体部２は固定筒１に対し、スラスト方向及びラジアル方向を保持される。この装着の際に、アダプター本体部２は弾性のあるＣ型形状をしているために、Ｃ型形状を拡張して固定筒１の小径部１ａに取り付けることができ、さらに、固定筒１の小径部１ａよりアダプター本体部２の取り付け径部２ａを若干小さく設定することで、図６に示すようにＣ型形状の弾性によりアダプター本体部２はレンズ鏡筒の固定筒１と一体化したように保持される。
【００１３】
次いで、三脚座３を、締め付けねじ３ａを緩めた状態でその係合導入部３ｂをアダプター本体部２の外周の三脚座コロ２ｃと合わせつつ三脚座３を取り付け、締付けねじ３ａを締め付けることにより、図８に示すようにレンズ鏡筒を任意の角度位置で固定することができる。
【００１４】
なお、本実施例ではレンズ鏡筒の固定筒１と三脚座アダプター２のスラスト方向及びラジアル方向を保持するための係合部を凸及び凹の部分係合としたが、三脚座の形状によってはスラスト方向にのみ保持する全周溝であってもよい。
また、本実施例では三脚座アダプター２の材質が弾性のあるＰＯＭ等の樹脂材料であるが、形状記憶合金で製作してもよく、その場合は変形した際にも復元することができる。
また、本実施例では三脚座アダプター２の形状をＣ型形状としたが、この形状に限定されるものでなく、ゴムのような弾性材料であればＯ型形状にして圧入する形式にしてもよい。
【００１５】
【発明の効果】
以上説明したように、本発明によれば、レンズ鏡筒の固定筒と、該固定筒に装着される環状の三脚座との間に装着される三脚座アダプターであって、前記三脚座アダプターは、前記固定筒の外周に装着され前記三脚座が取り付け可能な取り付け外径を形成するアダプター本体部と、該アダプター本体部の内周に形成され前記固定筒に形成された係合部に係合するアダプター側係合部と、該アダプター本体部の外周に形成され前記三脚座に形成された係合導入部に係合する三脚座用係合部とを有することにより、レンズ鏡筒自体を大型化することなく、汎用の三脚座の取り付けができる。また本発明はアダプター本体部は弾性部材によりＣ型形状に形成されていることにより、Ｃ型を拡張してレンズ鏡筒側係合部に係合できるので、取り付けが簡便に行うことができる。また本発明はアダプター本体部が形状記憶合金によりＣ型形状に形成されていることにより、変形した際に復元することが可能になる。
【００１６】
また本発明はアダプター本体部がゴムなどの弾性部材によりＯ型形状に形成されていることにより、レンズ鏡筒側係合部に係合させる際に全体を拡張させて容易に三脚座アダプターの装着が可能となる。
【００１７】
また本発明は、固定筒に形成された係合部と、前記固定筒の外周に装着され三脚座が取り付け可能な取り付け外径を形成するアダプター本体部と、該アダプター本体部の内周に形成され前記固定筒に形成された前記係合部に係合するアダプター側係合部と、該アダプター本体部の外周に形成され前記三脚座に形成された係合導入部に係合する三脚座用係合部とを有する三脚座アダプターとを有することにより、レンズ鏡筒に三脚座の取り付けを取り付け径に関係なくできる。
【図面の簡単な説明】
【図１】本発明の一実施例の三脚座アダプターを取り付け可能なレンズ鏡筒の側面図である。
【図２】その固定筒の展開図である。
【図３】その三脚座アダプターの平面図である。
【図４】同じく、斜視図である。
【図５】その三脚座アダプターとレンズ鏡筒の固定筒との係合時の要部断面図である。
【図６】三脚座アダプターを装着したレンズ鏡筒の側面図である。
【図７】三脚座の正面図である。
【図８】その三脚座を取り付けたレンズ鏡筒の側面図である。
【図９】従来の三脚座取り付け可能なレンズ鏡筒の側面図である。
【図１０】同じく、三脚座を取り付けた状態のレンズ鏡筒の側面図である。
【符号の説明】
１・・固定筒、１ａ・・小径部、１ｂ・・固定筒係合部、２・・三脚座アダプター、２ａ・・取付け径部、２ｂ・・アダプター係合部、２ｃ・・三脚座コロ、２ｄ・・テレンプ、３・・三脚座、３ａ・・締付けねじ、３ｂ・・係合導入部、３ｃ・・取付け径部、３ｄ・・切り割り部。
【図１】
0004478235.tif 000002
【図２】
0004478235.tif 000003
【図３】
0004478235.tif 000004
【図４】
0004478235.tif 000005
【図５】
0004478235.tif 000006
【図６】
0004478235.tif 000007
【図７】
0004478235.tif 000008
【図８】
0004478235.tif 000009
【図９】
0004478235.tif 000010
【図１０】
0004478235.tif 000011